(57)【要約】【課題】排水の利用性に優れ、吐水されるイオン水の使用性に優れ、吐水と排水の流量比率を変更できるため生成されるイオン水のｐＨ値を調整でき利便性に優れると共に、排水量を減らすことができ水資源の節約性に優れ、簡便な構造で排水の種別に応じた流路の切換及び流量調整ができるコンパクト性、低コスト性に優れたアルカリイオン整水器を提供することを目的とする。【解決手段】排水管１１に接続される排水入口と、排水が酸性イオン水の場合に排水する酸性イオン水出口と、排水が酸性イオン水以外の場合に排水する排水専用出口と、排水の種別に応じて酸性イオン水出口又は排水専用出口のいずれか一方と排水入口を連通させる出口切換部と、を有する排管接続部２０を備えている。【選択図】図１
2006167503.tif 000002
【特許請求の範囲】
【請求項１】
電解槽に連通しアルカリイオン水又は酸性イオン水が吐水される吐水管と、前記電解槽に連通し排水が排水される排水管と、を備えているアルカリイオン整水器であって、前記排水管に接続される排水入口と、前記排水が酸性イオン水の場合に排水する酸性イオン水出口と、前記排水が前記酸性イオン水以外の場合に排水する排水専用出口と、前記排水の種別に応じて前記酸性イオン水出口又は前記排水専用出口のいずれか一方と前記排水入口を連通させる出口切換部と、を有する排管切換部を備えていることを特徴とするアルカリイオン整水器。
【請求項２】
電解槽に連通しアルカリイオン水又は酸性イオン水が吐水される吐水管と、前記電解槽に連通し排水が排水される排水管と、前記吐水管に連通し前記アルカリイオン水又は酸性イオン水の一部がｐＨ測定用イオン水として排水されるｐＨ測定用排水管と、前記ｐＨ測定用排水管に配設され前記ｐＨ測定用イオン水のｐＨ値を測定するｐＨセンサと、を備えているアルカリイオン整水器であって、前記排水管に接続される排水入口と、前記排水が酸性イオン水の場合に排水する酸性イオン水出口と、前記排水が前記酸性イオン水以外の場合に排水する排水専用出口と、前記排水の種別に応じて前記酸性イオン水出口又は前記排水専用出口のいずれか一方と前記排水入口を連通させる出口切換部と、前記ｐＨ測定用排水管に接続されるｐＨ測定用排水入口と、前記ｐＨ測定用イオン水を排水するｐＨ測定用排水出口と、前記ｐＨ測定用排水出口の開閉を行う排水出口開閉部と、を有する排管切換部を備えていることを特徴とするアルカリイオン整水器。
【請求項３】
前記排管切換部が、前記ｐＨ測定用排水出口と前記排水出口開閉部に代えて、前記ｐＨ測定用イオン水を排水する場合には前記ｐＨ測定用排水入口と前記排水専用出口を接続し前記ｐＨ測定用イオン水を止水する場合には前記ｐＨ測定用排水入口を閉鎖する流路切換部を有することを特徴とする請求項２に記載のアルカリイオン整水器。
【請求項４】
前記排管切換部が、前記酸性イオン水出口及び／又は前記排水専用出口から排水される排水流量を調整する流量調整部を備えていることを特徴とする請求項１乃至３の内いずれか１に記載のアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン水生成器としてアルカリイオン整水器が普及している。このアルカリイオン整水器は、電解槽内で水道水等を電気分解して、陽極側に酸性イオン水を生成し、陰極側にアルカリイオン水を生成するものである。このアルカリイオン整水器において、利用者の使用する地域の水が、例えば原水導電率が極端に低い場合は電気分解に必要な電力が給電されても電気分解に必要な電流が流れず、原水のアルカリ度が高い場合は酸性イオン水が生成し難く、酸性度が高い場合はアルカリイオン水を生成し難い。このような場合、一定の供給電圧では生成されるイオン水のｐＨ値を調整することができないため、生成されるアルカリイオン水と酸性水の相対的な流量比率を調整することにより、一定の供給電圧で利用者の所望するｐＨ値のイオン水を生成することができるとともに初期設定の一定の供給電圧で設定ｐＨ値のイオン水を十分に生成できる水質の場合においては排水量を減らすことができる。また、アルカリイオン水や酸性イオン水或いは浄水の吐出方向を切換えることも行われている。
【０００３】
（特許文献１）の実施例に、２種の流れの流量と方向を単一のアクチュエータによって制御することが可能な２入力・２出力型の流体制御弁を用いたアルカリイオン整水器が開示されている。２入力・２出力型流体制御弁は、電解槽から流出するアルカリイオン水と酸性イオン水の流量比率を制御すると同時に、酸性イオン水とアルカリイオン水或いは浄水等の吐出方向を切換えられるようになっている。
【０００４】
以下、（特許文献１）で開示されている２入力・２出力型流体制御弁を用いた連続電解方式のアルカリイオン整水器について説明する。
【０００５】
図７は従来のアルカリイオン整水器の概略構造図である。
【０００６】
１は水道水等の原水管２に水栓３を介して接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水を確認し、制御部１７に制御指示する流量検知部、６はグリセロリン酸カルシウムや乳酸カルシウム等のカルシウムイオンを原水中に付与し原水導電率を高めるカルシウム供給部、７は流量検知部５を経由してきた水を電気分解してアルカリイオン水、酸性イオン水を生成する電解槽、８は電解槽７内を二分し、電極室を形成する隔膜、９及び１０は隔膜８で２分されて形成された各電極室に配置された電極板、１１は電極板１０側の水（電極板１０が陽極の場合は酸性イオン水）を排出する排水管、１２は電極板９側の水（電極板９が陰極の場合はアルカリイオン水）を吐出する吐水管、１３は電解槽７から流出する電極板１０側の水と電極板９側の水の流量を調整すると同時に電極板１０側の水と電極板９側の水の吐出方向を切換える２入力・２出力型流体制御弁、１４は排水管１１を流れてくる電極板１０側の水を２入力・２出力型流体制御弁１３を介して排出する排出管、１５は吐水管１２を流れてくる電極板９側の水を２入力・２出力型流体制御弁１３を介して吐出する吐出管、１６は電源投入用プラグ、１７は電源投入用プラグ１６からの交流電源を直流電源に変換する電源部、１８はアルカリイオン整水器１の動作を制御する制御部、１９は利用者がイオン水の水質やｐＨ強度、各種機能の選択設定を行う操作表示部であり制御部１８に接続されている。
【０００７】
次に、以上のように構成された従来のアルカリイオン整水器について、以下その動作を説明する。
【０００８】
利用者はアルカリイオン水生成モード、酸性イオン水生成モードまたは浄水モード等所望の水質モードおよびｐＨ強度を操作表示部１９の所定のボタンを押下することにより選択し、水栓３を開いて通水を行う。水栓３から導入された原水は、浄水部４で原水中の残留塩素やトリハロメタン、カビ臭、一般細菌等の不純物が取り除かれ、流量検知部５を経てカルシウム供給部６にてグリセロリン酸カルシウムや乳酸カルシウム等が溶解されて電気分解容易な水に処理された後、電解槽７に導入される。一方、電源投入用プラグ１６からはＡＣ１００Ｖが供給され、電源部１７内のトランス及び制御用直流電源で電気分解に必要な直流電圧電流を発生させ、制御部１８を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリイオン水生成モード時においては電極板１０が陽極となり、電極板９が陰極となる。また酸性イオン水生成モード時においては電極板９が陽極となり、電極板１０が陰極となる。通水後、制御部１８は流量検知部５からの出力信号を読み取り、単位時間当たりにアルカリイオン整水器１に流れる流量レベルが一定量を越えるとこの状態を通水中と判断する。この時、すでに選択されている水質モード及びｐＨ強度に応じた電気分解条件のもと制御部１８は電解槽７に対して所定の電力を供給する。これにより、アルカリイオン水生成モード時においては電極板９が陰極かつ電極板１０が陽極となり吐水管１２よりアルカリイオン水が吐水され、排水管１１を通り酸性イオン水が排水される。アルカリイオン水と酸性イオン水は２入力・２出力型流体制御弁１３に導入されて流量比率を制御されてアルカリイオン水は吐出管１５から吐出され、酸性イオン水は排出管１４から排出される。酸性イオン水生成モード時においては電極板９が陽極かつ電極板１０が陰極となり吐水管１２より酸性イオン水が吐水され、排水管１１よりアルカリイオン水が排水される。酸性イオン水とアルカリイオン水は２入力・２出力型流体制御弁１３に導入されて流量比率を制御されてアルカリイオン水は吐出管１５から吐出され、酸性イオン水は排出管１４から排出される。また、浄水モード時においては電極板９及び１０には電力が供給されず、吐水管１２と排水管１１を通った浄水は２入力・２出力型流体制御弁１３に導入されて流路を制御されることにより浄水はすべて吐出管１５から吐出され、排出管１４からは何も排出されない。また、電解槽内滞留水や逆電圧洗浄時の排水は吐水管１２と排水管１１を通り２入力・２出力型流体制御弁１３に導入されて流路を制御されることにより電解槽内滞留水や逆電圧洗浄時の排水はすべて排出管１４から排出され、吐出管１５からは何も吐出されない。
【特許文献１】特開平８−１４４１９号公報
【発明の開示】
【発明が解決しようとする課題】
【０００９】
しかしながら、上記従来の技術では以下のような課題を有していた。
【００１０】
設定モードにより吐水されるイオン水と排水されるイオン水が其々入れ替わるが吐水と排水の出口が其々一箇所しかないため利用者が吐出管及び排出管からのイオン水がアルカリイオン水か酸性イオン水か間違える虞があり識別性に欠け、特に使用者が初期設定の段階でモードの設定操作を誤った場合等に間違いに気付かず使用してしまうという課題を有していた。
【００１１】
排水の種別に応じた切換をすることができないため酸性イオン水やアルカリイオン水、電解槽内滞留水や逆電圧洗浄時の排水等も同じ排出管から排出され排水の種別の識別性に欠け、排出管から排出されるイオン水も利用する利用者にとっては間違える虞があり排水の種別に応じた有効的な利用性に欠けるという課題を有していた。
【００１２】
本発明は、上記従来の課題を解決するもので、排水管からの排水の種別に応じて流路を切換えることにより、排水の種別の識別性に優れるため排水管からのイオン水を利用する者にとって排水の種別を間違える虞がなく排水の種別に応じた有効的な利用方法で利用でき利用性に優れ、利用者が吐水管から吐水されるイオン水がアルカリイオン水か酸性イオン水か簡便に識別できるため吐水されるイオン水の使用性に優れ、排水流量のみを調整することにより、吐水と排水の流量比率を変更できるため設定ｐＨ値のイオン水を十分に生成できない水質においては初期設定の一定の供給電圧に対して生成されるｐＨ値を調整でき利便性に優れ、設定ｐＨ値のイオン水を十分に生成できる水質においては排水量を減らすことができ水資源の節約性に優れ、簡便な構造で排水の種別に応じた流路の切換及び流量調整ができるコンパクト性、低コスト性に優れたアルカリイオン整水器を提供することを目的とする。
【課題を解決するための手段】
【００１３】
上記課題を解決するために本発明のアルカリイオン整水器は、電解槽に連通しアルカリイオン水又は酸性イオン水が吐水される吐水管と、電解槽に連通し排水が排水される排水管と、を備えているアルカリイオン整水器であって、排水管に接続される排水入口と、排水が酸性イオン水の場合に排水する酸性イオン水出口と、排水が酸性イオン水以外の場合に排水する排水専用出口と、排水の種別に応じて酸性イオン水出口又は排水専用出口のいずれか一方と排水入口を連通させる出口切換部と、を有する排管切換部を備えた構成を有している。
【００１４】
これにより、排管切換部において排水管からの排水の種別に応じて流路を切換えることにより、排水の種別の識別性に優れるため排水管からのイオン水を利用する者にとって排水の種別を間違える虞がなく排水の種別に応じた有効的な利用方法で利用でき利用性に優れ、利用者が吐水管から吐水されるイオン水がアルカリイオン水か酸性イオン水か簡便に識別できるため吐水されるイオン水の使用性に優れたアルカリイオン整水器を提供することができる。
【発明の効果】
【００１５】
以上説明したように本発明のアルカリイオン整水器によれば、以下のような有利な効果が得られる。
【００１６】
請求項１に記載の発明によれば、出口切換部により、排水の種別に応じて酸性イオン水出口又は排水専用出口へ排水の流路の切換ができるので排水管からのイオン水を利用する者にとって排水の種別を間違える虞がなく、排水の種別に応じた有効的な利用方法で排水されるイオン水を利用できる利用性に優れたアルカリイオン整水器を提供することができる。
【００１７】
出口切換部により、排水の種別に応じて酸性イオン水出口又は排水専用出口へ排水の流路の切換ができるので酸性イオン水出口から酸性イオン水が排水されている場合は吐水管からはアルカリイオン水が吐水され、排水専用出口から排水されているとともに吐水管からイオン水が吐水されている場合は酸性イオン水が吐水されていることが簡便に識別でき、吐水のイオン水の種別に応じた使用方法で使用できる使用性に優れたアルカリイオン整水器を提供することができる。
【００１８】
出口切換部により、簡便な構造で排水の種別に応じた流路の切換ができコンパクト性、低コスト性に優れたアルカリイオン整水器を提供することができる。
【００１９】
請求項２に記載の発明によれば、排水出口開閉部がｐＨ測定用排水入口より流入するｐＨ測定用イオン水をｐＨ測定用排水出口の開閉を行うことにより簡便に止水又は排水することができる使用性、水の節約性に優れたアルカリイオン整水器を提供することができる。
【００２０】
出口切換部により、排水の種別に応じて酸性イオン水出口又は排水専用出口へ排水の流路の切換ができるので排水管からのイオン水を利用する者にとって排水の種別を間違える虞がなく、排水の種別に応じた有効的な利用方法で排水されるイオン水を利用できる利用性に優れたアルカリイオン整水器を提供することができる。
【００２１】
出口切換部により、排水の種別に応じて酸性イオン水出口又は排水専用出口へ排水の流路の切換ができるので酸性イオン水出口から酸性イオン水が排水されている場合は吐水管からはアルカリイオン水が吐水され、排水専用出口から排水されているとともに吐水管からイオン水が吐水されている場合は酸性イオン水が吐水されていることが簡便に識別でき、吐水のイオン水の種別に応じた使用方法で使用できる使用性に優れたアルカリイオン整水器を提供することができる。
【００２２】
請求項３に記載の発明によれば、請求項２の効果に加え、流路切換部がｐＨ測定用排水管を流れてくるｐＨ測定用イオン水を止水する場合はｐＨ測定用排水入口を閉鎖することで簡便に止水できる使用性、水資源の節約性に優れたアルカリイオン整水器を提供することができる。
【００２３】
流路切換部がｐＨ測定用排水管を流れてくるｐＨ測定用イオン水を排水する場合はｐＨ測定用排水入口と排水専用出口を接続して排水専用出口より排水するのでｐＨ測定用排水出口を設ける必要がなくコンパクト性、低コスト性に優れたアルカリイオン整水器を提供することができる。
【００２４】
請求項４に記載の発明によれば、請求項１乃至３の効果に加え、流量調整部により、排水流量を調整することで吐水と排水の流量比率を簡便に変更できるので、設定ｐＨ値のイオン水を十分に生成できない水質の場合は初期設定の一定の供給電圧に対して生成されるｐＨ値を簡便に調整することができる利便性に優れたアルカリイオン整水器を提供することができる。
【００２５】
流量調整部により、排水流量を調整することができるので、初期設定の一定の供給電圧で設定ｐＨ値のイオン水を十分に生成できる水質の場合は排水量を減らすことができ、水資源の節約性に優れたアルカリイオン整水器を提供することができる。
【発明を実施するための最良の形態】
【００２６】
本発明は、排水管からの排水の種別に応じて流路を切換えることにより、排水の種別の識別性に優れるため排水管からのイオン水を利用する者にとって排水の種別を間違える虞がなく排水の種別に応じた有効的な利用方法で利用でき利用性に優れ、利用者が吐水管から吐水されるイオン水がアルカリイオン水か酸性イオン水か簡便に識別できるため吐水されるイオン水の使用性に優れたアルカリイオン整水器を提供するという目的を、排水管に接続される排水入口と、排水が酸性イオン水の場合に排水する酸性イオン水出口と、排水が酸性イオン水以外の場合に排水する排水専用出口と、排水の種別に応じて酸性イオン水出口又は排水専用出口のいずれか一方と排水入口を連通させる出口切換部と、を有する排管切換部を備えることにより実現した。
【００２７】
上記課題を解決するためになされた第１の発明は、電解槽に連通しアルカリイオン水又は酸性イオン水が吐水される吐水管と、電解槽に連通し排水が排水される排水管と、を備えているアルカリイオン整水器であって、排水管に接続される排水入口と、排水が酸性イオン水の場合に排水する酸性イオン水出口と、排水が酸性イオン水以外の場合に排水する排水専用出口と、排水の種別に応じて酸性イオン水出口又は排水専用出口のいずれか一方と排水入口を連通させる出口切換部と、を有する排管切換部を備えた構成を有している。
【００２８】
この構成により、以下の作用を有する。
【００２９】
出口切換部により、排水入口から流入する排水の種別に応じて酸性イオン水出口又は排水専用出口へ排水の流路の切換ができるので排水管からのイオン水も利用する者にとって排水の種別を間違える虞がなく、排水の種別に応じた有効的な利用方法で排水されるイオン水を利用できる。
【００３０】
出口切換部により、排水入口から流入する排水の種別に応じて酸性イオン水出口又は排水専用出口に流路の切換ができるので酸性イオン水出口から酸性イオン水が排水されている場合は吐水管からはアルカリイオン水が吐水され、排水専用出口から排水されているとともに吐水管からイオン水が吐水されている場合は酸性イオン水が吐水されていることが簡便に識別できる。
【００３１】
出口切換部により、簡便な構造で排水の種別に応じた流路の切換ができコンパクト性、低コスト性の向上を図ることができる。
【００３２】
ここで、排水専用出口から排水される酸性イオン水以外の排水は酸性イオン水生成モードにおけるアルカリイオン水や電解層内滞留水、逆電圧洗浄時の排水等である。また排管切換部は１つの排水入口及び２つの排水出口を有し、排水流路の切換ができる構造のものであればよい。また出口切換部としては電磁式等の切換弁等を用いることができ、酸性イオン水出口及び排水専用出口の其々と排水入口を連通する管を形成しどちらか一方の管を閉鎖することにより排水流路を切換えるのものや、略Ｌ字型に形成した管を回転することにより酸性イオン水出口と排水入口又は排水専用出口と排水入口を連通させるのもの等が用いられる。
【００３３】
上記課題を解決するためになされた第２の発明は、電解槽に連通しアルカリイオン水又は酸性イオン水が吐水される吐水管と、電解槽に連通し排水が排水される排水管と、吐水管に連通しアルカリイオン水又は酸性イオン水の一部がｐＨ測定用イオン水として排水されるｐＨ測定用排水管と、ｐＨ測定用排水管に配設されｐＨ測定用イオン水のｐＨ値を測定するｐＨセンサと、を備えているアルカリイオン整水器であって、排水管に接続される排水入口と、排水が酸性イオン水の場合に排水する酸性イオン水出口と、排水が酸性イオン水以外の場合に排水する排水専用出口と、排水の種別に応じて酸性イオン水出口又は排水専用出口のいずれか一方と排水入口を連通させる出口切換部と、ｐＨ測定用排水管に接続されるｐＨ測定用排水入口と、ｐＨ測定用イオン水を排水するｐＨ測定用排水出口と、ｐＨ測定用排水出口の開閉を行う排水出口開閉部と、を有する排管切換部を備えた構成を有している。
【００３４】
この構成により、以下の作用を有する。
【００３５】
排水出口開閉部がｐＨ測定用排水入口より流入するｐＨ測定用イオン水をｐＨ測定用排水出口の開閉を行うことにより簡便に止水又は排水することができる。
【００３６】
出口切換部により、排水の種別に応じて酸性イオン水出口又は排水専用出口へ排水の流路の切換ができるので排水管からのイオン水を利用する者にとって排水の種別を間違える虞がなく排水の種別に応じた有効的な利用方法で排水されるイオン水を利用できる。
【００３７】
出口切換部により、排水の種別に応じて酸性イオン水出口又は排水専用出口へ排水の流路の切換ができるので酸性イオン水出口から酸性イオン水が排水されている場合は吐水管からはアルカリイオン水が吐水され、排水専用出口から排水されているとともに吐水管からイオン水が吐水されている場合は酸性イオン水が吐水されていることが簡便に識別できる。
【００３８】
ここで、排管切換部は２つの排水入口及び３つの排水出口を有することとなる。またｐＨ測定用排水管から流入したｐＨ測定用イオン水はｐＨ測定用排水出口から排水されるが、排水専用出口に酸性イオン水以外の排水を排水するための排水専用管を接続するとともにｐＨ測定用排水出口にｐＨ測定用イオン水を排水するためのｐＨ測定用排水排出管を接続し、ｐＨ測定用排水排出管を排水専用管に連通させることによりｐＨ測定用イオン水を排水専用出口から排水される排水と同様の排出口から排出できる。そうすることにより酸性イオン水とｐＨ測定用イオン水を含めた酸性イオン水以外の排水を簡便に区別できるので好ましい。また、ｐＨ測定用排水出口の開閉を行う排水出口開閉部としてはｐＨ測定用排水管を開閉できるものであればよく電磁式等の開閉弁等を用いることができ、スライドしてｐＨ測定用排水出口の開閉を行うもの等が用いられる。
【００３９】
上記課題を解決するためになされた第３の発明は、第２の発明に記載のアルカリイオン整水器であって、排管切換部が、ｐＨ測定用排水出口と排水出口開閉部に代えて、ｐＨ測定用イオン水を排水する場合にはｐＨ測定用排水入口と排水専用出口を接続しｐＨ測定用イオン水を止水する場合にはｐＨ測定用排水入口を閉鎖する流路切換部を有する構成を有している。
【００４０】
この構成により、第２の発明に加え、以下の作用を有する。
【００４１】
流路切換部がｐＨ測定用排水管を流れてくるｐＨ測定用イオン水を止水する場合はｐＨ測定用排水入口を閉鎖することで簡便に止水できる。
【００４２】
流路切換部がｐＨ測定用排水管を流れてくるｐＨ測定用イオン水を排水する場合はｐＨ測定用排水入口と排水専用出口を接続して排水専用出口より排水するのでｐＨ測定用排水出口を設ける必要がなくコンパクト性、低コスト性に優れる。
【００４３】
ここで、排管切換部は２つの排水入口及び２つの排水出口を有することとなる。また流路切換部はｐＨ測定用排水入口から流入するアルカリイオン水又は酸性イオン水を排水する場合はｐＨ測定用排水入口と排水出口を接続して、止水する場合はｐＨセンサ入口を閉鎖できる構造のものであればよい。
【００４４】
上記課題を解決するためになされた第４の発明は、第１乃至３の発明に記載のアルカリイオン整水器であって、排管切換部が、酸性イオン水出口及び／又は排水専用出口から排水される排水流量を調整する流量調整部を備えた構成を有している。
【００４５】
この構成により、第１乃至３の発明の作用に加え、以下のような作用を有する。
【００４６】
流量調整部により、酸性イオン水出口及び／又は排水専用出口から排水される排水流量を調整することで吐水と排水の流量比率を簡便に変更できるので、設定ｐＨ値のイオン水を十分に生成できない水質の場合は初期設定の一定の供給電圧に対して生成されるイオン水のｐＨ値を簡便に調整することができる。
【００４７】
流量調整部により、酸性イオン水出口及び／又は排水専用出口から排水される排水流量を調整することができるので、初期設定の一定の供給電圧で設定ｐＨ値のイオン水を十分に生成できる水質の場合は排水量を減らすことができ、水資源の節約性の向上を図ることができる。
【００４８】
ここで、流量調整部としては酸性イオン水出口及び／又は排水専用出口の開口量を調整できるものであればよく機械式、電磁式等の流量調整弁等を用いることができる。
【００４９】
また、出口切換部が流量調整部や排水出口開閉部を兼ねることにより部品点数を減らすことができ生産性、コンパクト性、低コスト性に優れ好ましい。例えば出口切換部が、（ａ）酸性イオン水出口に連通して形成された開口部と、排水専用出口に連通して形成された開口部と、を有する静止部材と、（ｂ）静止部材の上流側に回動自在に配設され、回転することにより開口部と連通させるとともに回転角度により開口量を変化させる案内部を有する回転ディスクと、（ｃ）回転ディスクを回転させるシャフトと、を備えたものが出口切換部と流量調整部を兼ねることができ好適に用いられる。シャフトが回転ディスクを回転させることにより案内部が排水の種別に応じて酸性イオン水出口又は排水専用出口と連通することで流路を切換えることができ、回転角度により開口部の開口量を変化させることにより排水流量を調整することができる。
【００５０】
（実施の形態１）
以下、本発明の実施の形態について、各図に基づいて説明する。
【００５１】
図１は本発明の実施の形態１におけるアルカリイオン整水器の概略構造図である。
【００５２】
図１中、従来のアルカリイオン整水器において説明したものと同様のものには同一の符号をつけて説明を省略する。１ａは実施の形態１におけるアルカリイオン整水器本体、２０は排水管１１を流れてくる排水の流量を調整するとともに排水の種別に応じて酸性イオン水排水管２１又は排水専用管２４へ流路の切換を行う排管切換部、２１は排水管１１を流れてくる排水が酸性イオン水の場合に排管切換部２１により流路を切換えられ酸性イオン水を排水する酸性イオン水排水管、２２は酸性イオン水排水管２１に配設された酸性イオン水スタンド、２３は酸性イオン水スタンド２２の上方に設けられ酸性イオン水が排出される酸性イオン水排出口、２４は排水管１１を流れてくる排水が酸性イオン水以外（アルカリイオン水や電解槽内滞留水、逆電圧洗浄時の排水等）の場合に排管切換部２１により流路を切換えられ酸性イオン水以外の排水を排水する排水専用管、２５は酸性イオン水スタンドの下方に設けられ酸性イオン水以外の排水が排出される排水専用排出口である。
【００５３】
次に以上のように構成された実施の形態１におけるアルカリイオン整水器について、以下その動作を説明するが基本的な動作は従来のアルカリイオン整水器と同様であるため省略する。
【００５４】
アルカリイオン水生成モード時においては電極板９が陰極かつ電極板１０が陽極となり吐水管１２よりアルカリイオン水が吐出され、排水管１１より酸性イオン水が排水される。排水管１１を通ってくる酸性イオン水は排管切換部２０により流路を切換えられ酸性イオン水排水管２１を通り、酸性イオンスタンド２２の上方に設けられた酸性イオン水排出口２３より排出される。酸性イオン水生成モード時においては電極板９が陽極かつ電極板１０が陰極となり吐水管１２より酸性イオン水が吐水され、排水管１１よりアルカリイオン水が排水される。排水管１１を通ってくるアルカリイオン水は排管切換部２０により流路を切換えられ排水専用管２４を通り、酸性イオンスタンド２２の下方に設けられた排水専用排出口２５より排出される。また、浄水モード時においては電極板９及び１０には電力が供給されず、吐水管１２より浄水が吐出される。このとき排管切換部２０は排水流路を閉じるため排水は排出されない。また、電解槽内滞留水や逆電圧洗浄時の排水は排水管１１を通り排管切換部２０により流路を切換えられ排水専用管２４を通り、酸性イオンスタンド２２の下方に設けられた排水専用排出口２５より排出される。
【００５５】
図２（ａ）は本発明の実施の形態１におけるアルカリイオン整水器の排管切換部の分解斜視図、図２（ｂ）は本発明の実施の形態１におけるアルカリイオン整水器の排管切換部の断面側面図である。
【００５６】
図２（ａ）中、２６は排管切換部２０のハウジング、２７はハウジング２６に形成され酸性イオン水排水管２１に接続される排管切換部２０の酸性イオン水接続部、２８はハウジング２６に形成され排水専用管２４に接続される排管切換部２０の排水専用接続部、２９はハウジング２６に形成され酸性イオン水排水管２１に連通して形成された排管切換部２０の酸性イオン水出口、３０はハウジング２６に形成され排水専用管２４に連通して形成された排管切換部２０の排水専用出口、３１はハウジング２６とカバー４５を固定するための固定部、３２は静止部材３３と回転ディスク３７とシャフト４１とからなる出口切換部、３３は円環状に形成されハウジング２６に配設される出口切換部３２の静止部材、３４は酸性イオン水出口２９に連通して形成された静止部材３３の酸性イオン水側開口部、３５は排水専用出口３０に連通して形成された静止部材３３の排水側開口部、３６はシャフト４１を回動自在に静止部材３３に遊嵌するための静止部材３３の中心に穿設された中心孔、３７は円環状に形成され静止部材３３の上流側に回動自在に配設される出口切換部３２の回転ディスク、３８は回転ディスク３７が回転することにより酸性イオン水側開口部３４と連通するとともに回転角度により酸性イオン水開口部３４の開口量を変化させ排水が酸性イオン水の場合に酸性イオン水側開口部３４に排出する回転ディスク３７の酸性イオン水用案内部、３９は回転ディスク３７が回転することにより排水側開口部３５と連通するとともに回転角度により排水側開口部３５の開口量を変化させ排水が酸性イオン水以外の場合に排水側開口部３５に排出する排水専用案内部、３８ａは回転することにより酸性イオン水側開口部３４と連通する酸性イオン水用案内部３８の酸性イオン水用貫通孔、３８ｂは酸性イオン水用貫通孔３８ａに隣接して略扇状に形成され酸性イオン水用貫通孔３８ａに酸性イオン水を流入させる酸性イオン水用案内部３８の酸性イオン水用凹み、３９ａは回転することにより排水側開口部３５と連通する排水専用案内部３９の排水専用貫通孔、３９ｂは排水専用貫通孔３９ａに隣接して略扇状に形成され排水専用貫通孔３９ａに酸性イオン水以外の排水を流入させる排水専用案内部３９の排水専用凹み、４０は回転ディスク３７とシャフト４１の嵌合部４３を固定するために回転ディスク３７の中心に穿設された嵌合孔、４１は一端が先端部４２により静止部材３３の中心孔３６に回動自在に遊嵌され他端が接続部４４により電動アクチュエータ５０に接続されて回転ディスク３７を回転させるシャフト、４５はねじ部４６により固定部３１にねじ止めされハウジング２６に固定されるカバー、４７はカバー４５に形成され排水管１１に連通して排水が流入する排管切換部２０の排水入口、４８はカバー４５と電動アクチュエータ５０を固定するためのねじ穴部、４９はシャフト４１の接続部４４を挿通させ電動アクチュエータ５０に接続させるためのカバー４５の開口部、５０はねじ固定部５１によりねじ穴部４８にねじ止めされることでカバー４５に固定され、シャフト４１を回転させる電動アクチュエータである。
【００５７】
図２（ｂ）中、５２は排水入口４７からの排水が流入するカバー４５の流入部、５３はシャフト４１が回動自在に挿通されたカバー４５の挿通孔、５４は接続部４４を電動アクチュエータ５０に接続するための接続固定部である。
【００５８】
図３は本発明の実施の形態１におけるアルカリイオン整水器の各モードにおける出口切換部の回転ディスクの位置を示す図である。
【００５９】
以下、回転ディスクの各モードにおける動作を説明する。
【００６０】
図３（ａ）はアルカリイオン水生成モード時の強電解モードにおける回転ディスクの位置を示す図である。この位置では、カバー４５の流入部５２は回転ディスク３７の酸性イオン水用案内部３８の酸性イオン水用凹み３８ｂに連通し、酸性イオン水は排水入口４７より流入部５２に流入し、流入部５２から酸性イオン水用凹み３８ｂを通り酸性イオン水用貫通孔３８ａより連通している静止部材３３の２つの酸性イオン水側開口部３４に流入し、酸性イオン水側開口部３４と連通している酸性イオン水出口２９より酸性イオン水排水管２１に排出される。この時、吐水（アルカリイオン水）と排水（酸性イオン水）の流量比率は１：１〜３：１となる。強電解モード場合、排水（酸性イオン水）の流量比率が増すことにより、生成されるｐH値を調整することができ、一定電圧の供給において、高いｐＨ値のアルカリイオン水を生成することが可能となる。
【００６１】
図３（ｂ）はアルカリイオン水生成モード時の節水モードにおける回転ディスクの位置を示す図である。強電解モードと比較して静止部材３３の酸性イオン水側開口部３４のうち酸性イオン水用案内部３８の酸性イオン水用貫通孔３８ａと連通しているのは１つだけである。この時、吐水（アルカリイオン水）と排水（酸性イオン水）の流量比率は５：１〜１０：１となる。節水モードの場合、排水（酸性イオン水）の流量比率が減少することにより、生成されるｐHを調整することができ、一定電圧の供給において、同等のｐＨ値のアルカリイオン水を生成したまま、排水量を削減することが可能となる。
【００６２】
図３（ｃ）は酸性イオン水生成モード時の強電解モードにおける回転ディスクの位置を示す図である。この位置では、カバー４５の流入部５２は回転ディスク３７の排水専用案内部３９の排水専用凹み３９ｂに連通し、酸性イオン水以外の排水は排水入口４７より流入部５２に流入し、流入部５２から排水専用凹み３９ｂを通り排水専用貫通孔３９ａより連通している静止部材３３の２つの排水側開口部３５に流入し、排水側開口部３５と連通している排水専用出口３０より排水専用管２４に排出される。この時、吐水（酸性イオン水）と排水（アルカリイオン水）の流量比率は１：１〜３：１となる。強電解モードの場合、排水（アルカリイオン水）の流量比率が増すことにより、生成されるｐHを調整することができ、一定電圧の供給において、低いｐＨ値の酸性イオン水を生成することが可能となる。
【００６３】
図３（ｄ）は酸性イオン水生成モード時の節水モードにおける回転ディスクの位置を示す図である。強電解モードと比較して静止部材３３の排水側開口部３５のうち排水専用案内部３９の排水専用貫通孔３９ａと連通しているのは１つだけである。この時、吐水（酸性イオン水）と排水（アルカリイオン水）の流量比率は５：１〜１０：１となる。節水モードの場合、排水（アルカリイオン水）の流量比率が減少することにより、生成されるｐHを調整することができ、一定電圧の供給において、同等のｐＨ値の酸性イオン水を生成したまま、排水量を削減することが可能となる。
【００６４】
図３（ｅ）は浄水モード時の回転ディスクの位置を示す図である。この位置では、静止部材３３の酸性イオン水側開口部３４、排水側開口部３５はともに回転ディスク３７によって閉鎖されるため酸性イオン水出口２９及び排水専用出口３０から排水は排出されない。
【００６５】
出口切換部３２が排水流路を切換えるとともに流量調整もできるため部品点数を減らすことができ生産性、コンパクト性、低コスト性に優れ好ましい。また、酸性イオン水側開口部及び排水側開口部の大きさや数を変えることにより、さまざまな流量に調整することができ好ましい。また、酸性イオン水スタンド２２の上方に酸性イオン水排出口２３が設けられているので利用者が酸性イオン水を取り出しやすく使用性に優れる。
【００６６】
以上のように本発明の実施の形態１におけるアルカリイオン整水器は構成されているので、以下のような作用を有する。
【００６７】
シャフト４１が回転ディスク３７を回転させることにより排水の種別に応じて酸性イオン水出口２９又は排水専用出口３０に流路を切換え、排水が酸性イオン水の場合は酸性イオン水用案内部３８が静止部材３３の酸性イオン水側開口部３４と連通することにより酸性イオン水出口２９から酸性イオン水排水管２１へ酸性イオン水を排出し、排水が酸性イオン水以外の場合は排水専用案内部３９が静止部材３３の排水側開口部３５と連通することにより排水専用出口３０から酸性イオン水以外の排水を排水専用管２４へ排出するため、排水管１１からのイオン水を利用する者にとっては排水の種別を間違える虞がなく、排水の種別に応じた有効的な利用方法で排水されるイオン水を利用できるとともに酸性イオン水排水管２１内に異なった種別の排水が残留する虞もないため利用者の利用性の向上をはかることができる。
【００６８】
出口切換部３２により、排水入口４７から流入する排水の種別に応じて酸性イオン水出口２９又は排水専用出口３０に流路の切換ができるので酸性イオン水排出口２３から酸性イオン水が排水されている場合は吐水管１２からはアルカリイオン水が吐水され、排水専用排出口２５から排水されているとともに吐水管１２からイオン水が吐水されている場合は酸性イオン水が吐水されていることが簡便に識別できる。
【００６９】
シャフト４１が回転ディスク３７を回転させることにより酸性イオン水用案内部３８の酸性イオン水用貫通孔が静止部材３３の酸性イオン水側開口部３４のうち１つに連通するか２つに連通するかにより排水流量を調整することができ、又は排水専用案内部３９の排水専用貫通孔３９ａが静止部材３３の排水側開口部３５のうち１つに連通するか２つに連通するかにより排水流量を調整することができ、吐水と排水の流量比率を簡便に変更できるので、初期設定の一定の供給電圧に対して生成されるｐＨ値を簡便に調整することができる。
【００７０】
シャフト４１が回転ディスク３７を回転させることにより酸性イオン水用案内部３８が静止部材３３の酸性イオン水側開口部３４ののうち１つに連通するか２つに連通するかにより排水流量を調整することができ、又は排水専用案内部３９が静止部材３３の排水側開口部３５のうち１つに連通するか２つに連通するかにより排水流量を調整することができるので初期設定の一定の供給電圧で設定ｐＨ値のイオン水を十分に生成できる水質の場合は排水量を減らすことができる。
【００７１】
排管切換部２０により、簡便な構造で排水の流量調整と排水の種別に応じた流路の切換ができアルカリイオン整水器１ａのコンパクト性、低コスト性の向上をはかることができる。
【００７２】
（実施の形態２）
図４は本発明の実施の形態２におけるアルカリイオン整水器の概略構造図である。
【００７３】
図４中、従来の技術及び実施の形態１のアルカリイオン整水器において説明したものと同様のものには同一の符号をつけて説明を省略する。１ｂは実施の形態２におけるアルカリイオン整水器本体、５５は吐水管１２に連通しアルカリイオン水又は酸性イオン水の一部がｐＨ測定用イオン水として排水されるｐＨ測定用排水管、５６はｐＨ測定用排水管５５に配設されｐＨ測定用イオン水のｐＨ値を測定するｐＨセンサ、２０ａは排水管１１を流れてくる排水の流量を調整し、排水の種別に応じて酸性イオン水排水管２１又は排水専用管２４へ流路の切換を行うとともにｐＨ測定用排水管５５を流れてくるｐＨ測定用イオン水の止水と排水を行う排管切換部、５７は一端が排管切換部２０ａに接続され他端が排水専用管２４に連通しｐＨ測定用イオン水を排水専用管２４に流入させるｐＨ測定用排水排出管である。
【００７４】
次に以上のように構成された実施の形態２におけるアルカリイオン整水器について、以下その動作を説明するが基本的な動作は実施の形態１におけるアルカリイオン整水器と同様であるため省略する。
【００７５】
電解槽７の電極板９側で生成されたアルカリイオン水又は酸性イオン水は吐水管１２から吐水されるが、その一部はｐＨ測定用イオン水としてｐＨ測定用排水管５５を通りｐＨセンサ５６に導入される。ｐＨセンサ５６はｐＨ測定用イオン水のｐＨ値を測定して制御部１８に測定値を返す。制御部１８は利用者の所望のｐＨ値に対して測定値が大きいか小さいかを判断し、電極板９及び１０の電圧強度を制御するとともに排管切換部２０ａによる流量調整を制御する。これより利用者の所望のｐＨ値に近い吐水を得ることができる。
【００７６】
尚、ｐＨセンサ５６によるフィードバック制御をおこなうのはアルカリイオン水生成モードの強電解モード時及び酸性イオン水生成モードの強電解モード時のみであり、アルカリイオン水生成モードの節水モード時、酸性イオン水生成モードの節水モード時は利用者の所望のｐＨ値が得られている場合のモードのためフィードバック制御をおこなわず、又浄水モード時もフィードバック制御をおこなわない。ｐＨセンサ５６を通過したｐＨ測定用イオン水は排管切換部２０ａを経てｐＨ測定用排水排出管５７より排水専用管２４に流入し排水専用排出口２５から排出される。排管切換部２０ａはｐＨセンサ５６によるフィードバック制御をおこなうアルカリイオン水生成モードの強電解モード時および酸性イオン水生成モードの強電解モード時にはｐＨ測定用イオン水の流路を開放しｐＨ測定用排水排出管５７に排水し、フィードバック制御をおこなわないアルカリイオン水生成モードの節水モード時、酸性イオン水生成モードの節水モード時、および浄水モード時にはｐＨ測定用イオン水の流路を閉鎖する。これによって捨て水を減らして節水効果を得ることができる。
【００７７】
図５（ａ）は本発明の実施の形態２におけるアルカリイオン整水器の排管切換部の概略構造図、図５（ｂ）は本発明の実施の形態２におけるアルカリイオン整水器の排管切換部の断面側面図である。尚、実施の形態１のアルカリイオン整水器において説明したものと同様のものには同一の符号をつけて説明を省略する。
【００７８】
図５（ａ）中、実施の形態２におけるアルカリイオン整水器の排管切換部２０ａが実施の形態１におけるアルカリイオン整水器の排管切換部２０と異なる点は、ハウジング２６ａがｐＨ測定用排水排出管５７に接続されるｐＨ測定用排水接続部５８とｐＨ測定用排水排出管５７に連通して形成されたｐＨ測定用排水出口５９を有する点、出口切換部３２ａの静止部材３３ａがｐＨ測定用排水出口５９に連通して形成されたｐＨ測定用排水開口部６０を有する点、出口切換部３２ａの回転ディスク３７ａがアルカリイオン水生成モードの強電解モード時にｐＨ測定用排水開口部６０と連通するｐＨ測定用排水貫通孔６１と酸性イオン水生成モードの強電解モード時にｐＨ測定用排水開口部６０と連通するｐＨ測定用排水貫通孔６２を有する点、カバー４５ａがｐＨ測定用排水管５５に接続されｐＨ測定用イオン水が流入するｐＨ測定用排水入口６３を有する点である。
【００７９】
図５（ｂ）中、６４はｐＨ測定用排水入口６３からのｐＨ測定用イオン水が流入するカバー４５ａのｐＨ測定用排水流入部である。
【００８０】
図６は本発明の実施の形態２におけるアルカリイオン整水器の各モードにおける出口切換部の回転ディスクの位置を示す図である。
【００８１】
以下、回転ディスクの各モードにおける動作を説明する。
【００８２】
図６（ａ）はアルカリイオン水生成モード時の強電解モードにおける回転ディスクの位置を示す図である。この位置では、カバー４５ａの流入部５２は回転ディスク３７ａの酸性イオン水用案内部３８の酸性イオン水用凹み３８ｂに連通し、酸性イオン水は排水入口４７より流入部５２に流入し、流入部５２から酸性イオン水用凹み３８ｂを通り酸性イオン水用貫通孔３８ａより連通している静止部材３３ａの２つの酸性イオン水側開口部３４に流入し、酸性イオン水側開口部３４と連通している酸性イオン水出口２９より酸性イオン水排水管２１に排出される。この時、吐水（アルカリイオン水）と排水（酸性イオン水）の流量比率は１：１〜３：１となる。強電解モードの場合、排水（酸性イオン水）の流量比率が増すことにより、生成されるｐHを調整することができ、一定電圧の供給において、高いｐＨ値のアルカリイオン水を生成することが可能となる。
【００８３】
一方、カバー４５ａのｐＨ測定用排水流入部６４は回転ディスク３７ａのｐＨ測定用排水貫通孔６１に連通し、ｐＨ測定用イオン水はｐＨ測定用排水流入部６４からｐＨ測定用排水貫通孔６１を通り、ｐＨ測定用排水貫通孔６１と連通している静止部材３３ａのｐＨ測定用排水開口部６０に流入し、ｐＨ測定用排水開口部６０と連通しているｐＨ測定用排水出口５９よりｐＨ測定用排水排出管５７に排出される。これによりｐＨ測定用イオン水の流路が開放となり、ｐＨセンサ５６によるフィードバック制御がおこなわれる。
【００８４】
図６（ｂ）はアルカリイオン水生成モード時の節水モードにおける回転ディスクの位置を示す図である。強電解モードと比較して静止部材３３ａの酸性イオン水側開口部３４のうち酸性イオン水用案内部３８の酸性イオン水用貫通孔３８ａと連通しているのは１つだけである。この時、吐水（アルカリイオン水）と排水（酸性イオン水）の流量比率は５：１〜１０：１となる。節水モードの場合、排水（酸性イオン水）の流量比率が減少することにより、生成されるｐHを調整することができ、一定電圧の供給において、同等のｐＨ値のアルカリイオン水を生成したまま、排水量を削減することが可能となる。また、静止部材３３ａのｐＨ測定用排水開口部６０は回転ディスク３７ａのｐＨ測定用排水貫通孔６１と連通せず、ｐＨ測定用排水出口５９は閉塞される。これにより排水量をさらに削減することができる。
【００８５】
図６（ｃ）は酸性イオン水生成モード時の強電解モードにおける回転ディスクの位置を示す図である。この位置では、カバー４５ａの流入部５２は回転ディスク３７の排水専用案内部３９の排水専用凹み３９ｂに連通し、酸性イオン水以外の排水は排水入口４７より流入部５２に流入し、流入部５２から排水専用凹み３９ｂを通り排水専用貫通孔３９ａより連通している静止部材３３ａの２つの排水側開口部３５に流入し、排水側開口部３５と連通している排水専用出口３０より排水専用管２４に排出される。この時、吐水（酸性イオン水）と排水（アルカリイオン水）の流量比率は１：１〜３：１となる。強電解モードの場合、排水（アルカリイオン水）の流量比率が増すことにより、生成されるｐHを調整することができ、一定電圧の供給において、低いｐＨ値の酸性イオン水を生成することが可能となる。
【００８６】
一方、カバー４５ａのｐＨ測定用排水流入部６４は回転ディスク３７ａのｐＨ測定用排水貫通孔６２に連通し、ｐＨ測定用イオン水はｐＨ測定用排水流入部６４からｐＨ測定用排水貫通孔６２を通り、ｐＨ測定用排水貫通孔６２と連通している静止部材３３ａのｐＨ測定用排水開口部６０に流入し、ｐＨ測定用排水開口部６０と連通しているｐＨ測定用排水出口５９よりｐＨ測定用排水排出管５７に排出される。これによりｐＨ測定用イオン水の流路が開放となり、ｐＨセンサ５６によるフィードバック制御がおこなわれる。
【００８７】
図６（ｄ）は酸性イオン水生成モード時の節水モードにおける回転ディスクの位置を示す図である。強電解モードと比較して静止部材３３ａの排水側開口部３５のうち排水専用案内部３９の排水専用貫通孔３９ａと連通しているのは１つだけである。この時、吐水（酸性イオン水）と排水（アルカリイオン水）の流量比率は５：１〜１０：１となる。節水モードの場合、排水（アルカリイオン水）の流量比率が減少することにより、生成されるｐHを調整することができ、一定電圧の供給において、同等のｐＨ値の酸性イオン水を生成したまま、排水量を削減することが可能となる。また、静止部材３３ａのｐＨ測定用排水開口部６０は回転ディスク３７ａのｐＨ測定用排水貫通孔６２と連通せず、ｐＨ測定用排水出口５９は閉塞される。これにより排水量をさらに削減することができる。
【００８８】
図６（ｅ）は浄水モード時の回転ディスクの位置を示す図である。この位置では、静止部材３３ａの酸性イオン水側開口部３４、排水側開口部３５はともに回転ディスク３７ａによって閉鎖されるため酸性イオン水排水管２１及び排水専用管２４から排水は排出されない。また、静止部材３３ａのｐＨ測定用排水開口部６０も回転ディスク３７ａによって閉鎖されるためｐＨ測定用排水排出管５７からｐＨ測定用イオン水は排出されない。
【００８９】
出口切換部３２ａが排水流路を切換えるとともに流量調整もでき、またｐＨ測定用排水出口５９の開閉ができるため部品点数を減らすことができ生産性、コンパクト性、低コスト性に優れ好ましい。
【００９０】
尚、ｐＨセンサ５６を通過したｐＨ測定用イオン水は排管切換部２０ａからｐＨ測定用排水排出管５７を通り、排水専用管２４に流入させるのではなく、排管切換部２０ａがｐＨ測定用イオン水を排水する場合にはｐＨ測定用排水入口５９と排水専用出口３０を接続しｐＨ測定用イオン水を止水する場合にはｐＨ測定用排水入口５９を閉鎖する流路切換部を有することにより、ｐＨ測定用イオン水を直接排水専用管２４に排出することができる。この場合、ｐＨ測定用排水排出管５７を設ける必要がなくコンパクト性、低コスト性に優れ好ましい。
【００９１】
以上のように本発明の実施の形態２におけるアルカリイオン整水器は構成されているので、実施の形態１の作用に加え、以下のような作用を有する。
【００９２】
シャフト４１が回転ディスク３７ａを回転させｐＨ測定用排水貫通孔６１又はｐＨ測定用排水貫通孔６２がｐＨ測定用排水開口部６０を開閉するのでｐＨ測定用イオン水を簡便に止水又は排水することができる。
【００９３】
ｐＨセンサ５６によりｐＨ測定用排水管５５を流れてくるｐＨ測定用イオン水のｐＨ値を測定し制御部１８に測定値を送ることにより、制御部１８が利用者の所望のｐＨ値に対して測定値が大きいか小さいかを判断し電極板９及び１０の電圧強度を制御するとともに排管切換部２０ａによる流量調整を制御することにより利用者の所望のｐＨ値により近いｐＨ値のイオン水を生成することができる。
【００９４】
ｐＨ測定用排水排出管５７が排水専用管２４に排管接続部２０ａの下流側で接続されているのでｐＨ測定用イオン水を排水専用管２４に流入させ排水専用排出口２５から排出でき、酸性イオン水とｐＨ測定用イオン水を含めた酸性イオン水以外の排水を区別することができる。
【産業上の利用可能性】
【００９５】
排水管からの排水の種別に応じて流路を切換えることにより、排水の種別の識別性に優れるため排水管からのイオン水を利用する者にとって排水の種別を間違える虞がなく排水の種別に応じた有効的な利用方法で利用でき利用性に優れ、利用者が吐水管から吐水されるイオン水がアルカリイオン水か酸性イオン水か簡便に識別できるため吐水されるイオン水の使用性に優れ、排水流量のみを調整することにより、吐水と排水の流量比率を変更できるため設定ｐＨ値のイオン水を十分に生成できない水質においては初期設定の一定の供給電圧に対して生成されるｐＨ値を調整でき利便性に優れ、設定ｐＨ値のイオン水を十分に生成できる水質においては排水量を減らすことができ水資源の節約性に優れ、簡便な構造で排水の種別に応じた流路の切換及び流量調整ができるコンパクト性、低コスト性に優れたアルカリイオン整水器を提供することができる。
【図面の簡単な説明】
【００９６】
【図１】本発明の実施の形態１におけるアルカリイオン整水器の概略構造図
【図２】（ａ）本発明の実施の形態１におけるアルカリイオン整水器の排管切換部の概略構造図、（ｂ）本発明の実施の形態１におけるアルカリイオン整水器の排管切換部の断面側面図
【図３】本発明の実施の形態１におけるアルカリイオン整水器の各モードにおける出口切換部の回転ディスクの位置を示す図
【図４】本発明の実施の形態２におけるアルカリイオン整水器の概略構造図
【図５】（ａ）本発明の実施の形態２におけるアルカリイオン整水器の排管切換部の概略構造図、（ｂ）本発明の実施の形態２におけるアルカリイオン整水器の排管切換部の断面側面図
【図６】本発明の実施の形態２におけるアルカリイオン整水器の各モードにおける出口切換部の回転ディスクの位置を示す図
【図７】従来のアルカリイオン整水器の概略構造図
【符号の説明】
【００９７】
１、１ａ、１ｂ    アルカリイオン整水器本体
２    原水管
３    水栓
４    浄水部
５    流量検知部
６    カルシウム供給部
７    電解槽
８    隔膜
９、１０    電極板
１１    排水管
１２    吐水管
１３    ２入力・２出力型流体制御弁
１４    排出管
１５    吐出管
１６    電源投入用プラグ
１７    電源部
１８    制御部
１９    操作表示部
２０、２０ａ    排管切換部
２１    酸性イオン水排水管
２２    酸性イオン水スタンド
２３    酸性イオン水排出口
２４    排水専用管
２５    排水専用排出口
２６、２６ａ    ハウジング
２７    酸性イオン水接続部
２８    排水専用接続部
２９    酸性イオン水出口
３０    排水専用出口
３１    固定部
３２、３２ａ    出口切換部
３３、３３ａ    静止部材
３４    酸性イオン水側開口部
３５    排水側開口部
３６    中心孔
３７、３７ａ    回転ディスク
３８    酸性イオン水用案内部
３８ａ    酸性イオン水用貫通孔
３８ｂ    酸性イオン水用凹み
３９    排水専用案内部
３９ａ    排水専用貫通孔
３９ｂ    排水専用凹み
４０    嵌合孔
４１    シャフト
４２    先端部
４３  嵌合部
４４    接続部
４５、４５ａ    カバー
４６    ねじ部
４７    排水入口
４８    ねじ穴部
４９    開口部
５０    電動アクチュエータ
５１    ねじ固定部
５２    流入部
５３    挿通孔
５４    接続固定部
５５    ｐＨ測定用排水管
５６    ｐＨセンサ
５７    ｐＨ測定用排水排出管
５８    ｐＨ測定用排水接続部
５９    ｐＨ測定用排水出口
６０    ｐＨ測定用排水開口部
６１    ｐＨ測定用排水貫通孔
６２    ｐＨ測定用排水貫通孔
６３    ｐＨ測定用排水入口
６４    ｐＨ測定用排水流入部
【図１】
2006167503.tif 000003
【図２】
2006167503.tif 000004
【図３】
2006167503.tif 000005
【図４】
2006167503.tif 000006
【図５】
2006167503.tif 000007
【図６】
2006167503.tif 000008
【図７】
2006167503.tif 000009